(57)【要約】  【課題】商品を冷却あるいは加熱し販売する自動販売機において、ダクト位置を移動し、加温劣化する温度以下まで全商品を加温しておき、最小限の販売商品のみ販売温度まで加温させ、加温劣化による商品廃棄を抑制する。  【解決手段】リターンダクト５を移動させ、全商品を予め一定温度まで加温しておき、その後、リターンダクト５を最下部まで移動させ、必要最低限の商品のみ適温まで加温し、売れ残りの商品に対し加温劣化による廃棄を抑制できる。【選択図】図１
2007041750.tif 000002
【特許請求の範囲】
【請求項１】
複数の商品収納装置を備えた本体と、前記本体下部に設けられ前記商品収納装置に収納された商品を冷却または加熱するための冷却・加温手段と、前記冷却・加温手段によって冷却・加熱された空気を送風するファンと、前記商品収納装置の後方に設けたリターンダクトと，前記リターンダクトを上下方向に移動させる移動手段と、収納商品の温度を検知する温度検知手段と、商品充填完了時、前記移動手段への給電を制御する充填完了入力手段とからなることを特徴とした自動販売機。
【請求項２】
前記商品収納装置に充填された販売商品の本数を検知する本数検知手段を備えた請求項１に記載の自動販売機。
【請求項３】
周囲温度を検知する周囲温度検知手段を備えた請求項１または２に記載の自動販売機。
【請求項４】
時間計数を行うタイマーを備えた請求項１から３のいずれか一項に記載の自動販売機。
【請求項５】
販売本数の累計を記憶する記憶手段を備えた請求項１から４のいずれか一項に記載の自動販売機。
【発明の詳細な説明】
【技術分野】
【０００１】
本発明は商品の収納庫を冷却または加熱して商品を販売するようにした自動販売機の特に加温劣化を抑制する自動販売機に関するものである。
【背景技術】
【０００２】
近年、自動販売機の冷却・加熱装置は特許文献１に示されるように、複数の商品収納装置を備えた本体と，本体下部に商品収納装置に収納された商品を冷却または加熱するための冷却・加熱装置と，冷却・加熱装置によって冷却または加熱された空気を送風するファンと，商品収納装置の後方に設けたリターンダクトとからなり，商品収納装置のほぼ全体に強制的に対流をおこし，商品収納装置に収納された商品を均一に冷却または加熱する構成となっている。
【特許文献１】特開平５−２８３５３号公報
【発明の開示】
【発明が解決しようとする課題】
【０００３】
しかしながら、上記のような構成では，商品収納装置全体を均一に冷却または加熱をしている為、必要以上に商品を冷却または加熱していることになり特に加温された商品について、売れ残りが発生した場合は加温劣化で販売できないといった欠点があった。本発明は従来の課題を解決するもので、必要量のみ商品を冷却または加熱し，特に加温劣化により商品を販売できなくなるのを抑止できる自動販売機を提供することを目的とする。
【課題を解決するための手段】
【０００４】
上記従来の課題を解決するために、本発明の自動販売機は商品収納装置の後方に設けたリターンダクトを上下方向に移動させることで、収納装置内の全商品を適温以下の温度になるように加熱しておくので、商品の加温劣化による廃棄を防止することができる。
【発明の効果】
【０００５】
本発明の自動販売機は、リターンダクトを、上下方向に移動させることで、商品収納装置の全商品を一旦、加温劣化温度以下まで加温しておき、その後下部の一部の商品のみ適温となる様、部分加熱し商品売れ残り時でも、加温劣化による商品廃棄頻度を抑制することができる。
【発明を実施するための最良の形態】
【０００６】
本発明の請求項１に記載の発明は、複数の商品収納装置を備えた本体と，前記本体下部に設けられ前記商品収納装置に収納された商品を冷却または加熱するための冷却・加温手段と、前記冷却・加温手段によって冷却・加熱された空気を送風するファンと、前記商品収納装置の後方に設けたリターンダクトと，前記リターンダクトを上下方向に移動させる移動手段と、収納商品の温度を検知する温度検知手段と、商品充填完了時、前記移動手段への給電を制御する充填完了入力手段とからなり、加温設定時、商品投入完了後ある一定温度まで全商品を加温し、その後必要量のみ商品を加熱し適温販売を行い加温劣化を抑止する作用を有する。
【０００７】
請求項２に記載の発明は、請求項１に記載の発明に、さらに、商品収納装置に充填された販売商品の本数を検知する本数検知手段を備えたものであり、加温設定時、商品投入完了後商品本数に合わせて自動的にリターンダクトの位置を移動させ、所定温度まで全商品を加温し、その後必要量のみ商品を加熱し適温販売を行い加温劣化を抑止する作用を有する。
【０００８】
請求項３に記載の発明は、請求項１または２に記載の発明に、さらに、周囲温度を検知する周囲温度検知手段を備えたものであり、加温設定時、周囲温度に応じて自動的にリターンダクトの位置を移動させ、必要本数のみ商品を加熱し適温販売を行い加温劣化を抑止する作用を有する。
【０００９】
請求項４に記載の発明は、請求項１から３のいずれか一項に記載の発明に、さらに、時間計数を行うタイマーを備えたものであり、加温設定時、任意の時間に自動的にリターンダクトの位置を移動させ、商品を加熱し適温販売を行い加温劣化を抑止する作用を有する。
【００１０】
請求項５に記載の発明は、請求項１から４のいずれか一項に記載の発明に、さらに、販売本数の累計を記憶する記憶手段を備えたものであり、加温設定時、販売状況に応じてリターンダクトの位置を移動させ、商品を加熱し適温販売を行い加温劣化を抑止する作用を有する。
【００１１】
以下、本発明による自動販売機の実施の形態について、図面を参照しながら説明する。なお、従来と同一構成については、同一符号を付して詳細な説明を省略する。
【００１２】
（実施の形態１）
図１は、本発明の実施の形態１による自動販売機の側面断面図である。図２は、同実施の形態の自動販売機の動作を示すフローチャートである。
【００１３】
図１において、商品収納装置１は商品を収納するための構造体であり、断熱壁よりなる本体２は商品収納装置１を複数備えている。冷却・加温手段３は商品を冷却または加温する装置であり本体２下部に配置している。ファン４は冷却・加温手段３によって冷却または加温された空気を送風する装置である。リターンダクト５は冷却された空気または加温された空気がファン４で商品収納装置１の商品にあたり再び冷却・加温装置３に戻すため、商品収納装置１の後方に設けられている。移動手段６はリターンダクト５を上下方向に移動させるための動力である。充填完了入力手段７は商品充填完了時に操作し、リターンダクト５の制御を行う。温度検知手段８は商品収納装置１内の商品温度を検知するものである。
【００１４】
以上のように構成された自動販売機について、以下その動作を説明する。
【００１５】
加温商品販売時、加温による中身商品の劣化を抑制するため、商品投入完了時（ＳＴＥＰ１）、手動にて充填完了入力手段７を操作し、リターンダクト５を上方の位置に移動させる（ＳＴＥＰ２）。このとき冷却・加温装置３にて加熱された空気はファン４にて商品収納装置１の商品を加熱するが、上方に移動したリターンダクト５により冷却・加温手段３との間が広く対流する空気が多く発生するため商品をより均一に加熱する。商品全体が一定温度まで加温されると（ＳＴＥＰ３）、リターンダクト５は最下部まで移動し（ＳＴＥＰ４）、商品収納装置１下部の商品を販売温度まで加温する（ＳＴＥＰ５）。
【００１６】
以上のように本実施の形態の自動販売機は、複数の商品収納装置１を備えた本体２と、本体２下部に設けられ商品収納装置１に収納された商品を冷却または加熱するための冷却・加温手段３と、冷却・加温手段３によって冷却・加熱された空気を送風するファン４と、商品収納装置１の後方に設けたリターンダクト５と，リターンダクト５を上下方向に移動させる移動手段６と、収納商品の温度を検知する温度検知手段８と、商品充填完了時、移動手段６への給電を制御する充填完了入力手段７とから構成され、加温設定時、商品を加温劣化する温度以下まで商品全体を加温しておき、加温終了後は、商品収納装置１の下部商品のみ、販売温度まで加熱することで、適温商品を販売でき、販売頻度が少ない場合でも加温劣化させることなく商品を提供することができる。
【００１７】
（実施の形態２）
図３は、本発明の実施の形態２による自動販売機の側面断面図である。図４は同実施の形態の自動販売機の動作を示すフローチャートである。なお、実施の形態１と同一構成については同一符号を付して、その詳細な説明を省略する。
【００１８】
図３において、本数検知手段９は商品収納装置１に充填された販売商品の本数を検知するものである。
【００１９】
本実施の形態は、実施の形態１による自動販売機に、さらに本数検知手段９を設けたものである。
【００２０】
以上のように構成された自動販売機について、以下その動作を説明する。
【００２１】
加温商品販売時、加温による中身商品の劣化を抑制するため、商品投入完了時（ＳＴＥＰ６）、手動にて充填完了入力手段７を操作し、リターンダクト５を上方の位置に移動させる（ＳＴＥＰ７）。このとき本数検知手段９により商品充填最上部までリターンダクト５が上昇した場合（ＳＴＥＰ８）、リターンダクト５を停止させる。冷却・加温装置３にて加熱された空気はファン４にて商品収納装置１の商品を加熱し、上方に移動したリターンダクト５により冷却・加温手段３との間の商品をより均一に早く加熱する。商品全体が一定温度まで加温されると（ＳＴＥＰ９）、リターンダクト５は最下部まで移動し（ＳＴＥＰ１０）、商品収納装置１下部の商品を販売温度まで加温する（ＳＴＥＰ１１）。
【００２２】
以上のように本実施の形態の自動販売機は、複数の商品収納装置１を備えた本体２と、本体２下部に設けられ商品収納装置１に収納された商品を冷却または加熱するための冷却・加温手段３と、冷却・加温手段３によって冷却・加熱された空気を送風するファン４と、商品収納装置１の後方に設けたリターンダクト５と，リターンダクト５を上下方向に移動させる移動手段６と、収納商品の温度を検知する温度検知手段８と、商品充填完了時、移動手段６への給電を制御する充填完了入力手段７と、商品収納装置１に充填された販売商品の本数を検知する本数検知手段９から構成され、投入本数に応じて収納本数が少ない場合、商品収納装置１上方の無駄な空間を加温することなく最小限電力で加温劣化する温度以下まで商品全体を加温しておき、加温終了後は、商品収納装置１の下部商品のみ、販売温度まで加熱することで、適温商品を販売でき、販売頻度が少ない場合も加温劣化させることなく商品を提供することができる。
【００２３】
（実施の形態３）
図５は、本発明の実施の形態３による自動販売機の側面断面図である。図６は同実施の形態の自動販売機の動作を示すフローチャートである。なお、実施の形態１または２と同一構成については同一符号を付して、その詳細な説明を省略する。
【００２４】
図５において、周囲温度検知手段１０は本体の周囲温度を検知するものである。
【００２５】
本実施の形態は、実施の形態１または２に記載の自動販売機に、さらに周囲温度検知手段１０を設けたものである。
【００２６】
以上のように構成された自動販売機について、以下その動作を説明する。
【００２７】
加温商品販売時、加温による中身商品の劣化を抑制するため、商品投入完了時（ＳＴＥＰ１２）、手動にて充填完了入力手段７を操作し、リターンダクト５を上方の位置に移動させる（ＳＴＥＰ１３）。冷却・加温装置３にて加熱された空気はファン４にて商品収納装置１の商品を加熱し、上方に移動したリターンダクト５により冷却・加温手段３との間の商品をより均一に早く加熱する。商品全体が一定温度まで加温されると（ＳＴＥＰ１４）、リターンダクト５は最下部まで移動し（ＳＴＥＰ１５）、商品収納装置１下部の商品を販売温度まで加温する（ＳＴＥＰ１６）。このとき周囲温度が寒く、加温商品の販売数が多くなる気候の場合（ＳＴＥＰ１７）、リターンダクト５を一定距離上昇させ（ＳＴＥＰ１８）、販売温度まで加温する商品の本数を増やす。
【００２８】
以上のように本実施の形態の自動販売機は、複数の商品収納装置１を備えた本体２と、本体２下部に設けられ商品収納装置１に収納された商品を冷却または加熱するための冷却・加温手段３と、冷却・加温手段３によって冷却・加熱された空気を送風するファン４と、商品収納装置１の後方に設けたリターンダクト５と，リターンダクト５を上下方向に移動させる移動手段６と、収納商品の温度を検知する温度検知手段８と、商品充填完了時、移動手段６への給電を制御する充填完了入力手段７と、周囲温度を検知する周囲温度検知手段１０から構成され、周囲温度が寒く加温商品の販売本数が多くなるとき、販売温度まで加温する商品数を増やし、加温劣化させることなく適温商品を提供することができる。
【００２９】
（実施の形態４）
図７は、本発明の実施の形態４による自動販売機の側面断面図である。図８は同実施の形態の自動販売機の動作を示すフローチャートである。なお、実施の形態１から３と同一構成については同一符号を付して、その詳細な説明を省略する。
【００３０】
図７において、タイマー１１は２４時間の時間計測を行うものである。
【００３１】
本実施の形態は、実施の形態１から３のいずれか一項に記載の自動販売機に、さらにタイマー１１を設けたものである。
【００３２】
以上のように構成された自動販売機について、以下その動作を説明する。
【００３３】
加温商品販売時、加温による中身商品の劣化を抑制するため、商品投入完了時（ＳＴＥＰ１９）、手動にて充填完了入力手段７を操作し、リターンダクト５を上方の位置に移動させる（ＳＴＥＰ２０）。冷却・加温装置３にて加熱された空気はファン４にて商品収納装置１の商品を加熱し、上方に移動したリターンダクト５により冷却・加温手段３との間の商品をより均一に早く加熱する。商品全体が一定温度まで加温されると（ＳＴＥＰ２１）、リターンダクト５は最下部まで移動し（ＳＴＥＰ２２）、商品収納装置１下部の商品を販売温度まで加温する（ＳＴＥＰ２３）。このとき、現在時刻が任意の時間帯であれば（ＳＴＥＰ２４）、リターンダクトを一定距離上昇させ（ＳＴＥＰ２５）、販売温度まで加温する商品の本数を増やす。
【００３４】
以上のように本実施の形態の自動販売機は、複数の商品収納装置１を備えた本体２と、本体２下部に設けられ商品収納装置１に収納された商品を冷却または加熱するための冷却・加温手段３と、冷却・加温手段３によって冷却・加熱された空気を送風するファン４と、商品収納装置１の後方に設けたリターンダクト５と，リターンダクト５を上下方向に移動させる移動手段６と、収納商品の温度を検知する温度検知手段８と、商品充填完了時、移動手段６への給電を制御する充填完了入力手段７と、時間計数を行うタイマー１１から構成され、加温劣化する温度以下まで商品全体を加温しておき、加温終了後は、商品収納装置１の下部商品のみ、販売温度まで加熱し、現在の時刻が販売本数の多くなる任意の時間帯であれば加温する商品数を増やし、加温劣化させることなく適温商品を提供することができる。
【００３５】
（実施の形態５）
図９は、本発明の実施の形態５による自動販売機の側面断面図である。図１０は同実施の形態の自動販売機の動作を示すフローチャートである。なお、実施の形態１から４と同一構成については同一符号を付して、その詳細な説明を省略する。
【００３６】
図９において、記憶手段１２は販売本数の累計を記憶するものである。
【００３７】
本実施の形態は、実施の形態１から４のいずれか一項に記載の自動販売機に、さらに記憶手段１２を設けたものである。
【００３８】
以上のように構成された自動販売機について、以下その動作を説明する。
【００３９】
加温商品販売時、加温による中身商品の劣化を抑制するため、商品投入完了時（ＳＴＥＰ２６）、手動にて充填完了入力手段７を操作し、リターンダクト５を上方の位置に移動させる（ＳＴＥＰ２７）。冷却・加温装置３にて加熱された空気はファン４にて商品収納装置１の商品を加熱し、上方に移動したリターンダクト５により冷却・加温手段３との間の商品をより均一に早く加熱する。商品全体が一定温度まで加温されると（ＳＴＥＰ２８）、リターンダクト５は最下部まで移動し（ＳＴＥＰ２９）、商品収納装置１下部の商品を販売温度まで加温する（ＳＴＥＰ３０）。このとき、時間あたりの販売本数が一定本数以上であれば（ＳＴＥＰ３１）、リターンダクト５を一定距離上昇させ（ＳＴＥＰ３２）、販売温度まで加温する商品の本数を増やす。
【００４０】
以上のように本実施の形態の自動販売機は、複数の商品収納装置１を備えた本体２と、本体２下部に設けられ商品収納装置１に収納された商品を冷却または加熱するための冷却・加温手段３と、冷却・加温手段３によって冷却・加熱された空気を送風するファン４と、商品収納装置１の後方に設けたリターンダクト５と，リターンダクト５を上下方向に移動させる移動手段６と、収納商品の温度を検知する温度検知手段８と、商品充填完了時、移動手段６への給電を制御する充填完了入力手段７と、販売本数の累計を記憶する記憶手段１２から構成され、加温劣化する温度以下まで商品全体を加温しておき、加温終了後は、商品収納装置１の下部商品のみ、販売温度まで加熱し、販売本数が多い場合は加温する商品数を増やし、加温劣化させることなく適温商品を提供することができる。
【産業上の利用可能性】
【００４１】
以上のように、本発明にかかる自動販売機は、加温劣化による商品の廃棄を防止できるので缶商品の自動販売機に適用できる。
【図面の簡単な説明】
【００４２】
【図１】本発明の実施の形態１による自動販売機の側面断面図
【図２】同実施の形態の自動販売機の動作を示すフローチャート
【図３】本発明の実施の形態２による自動販売機の側面断面図
【図４】同実施の形態の自動販売機の動作を示すフローチャート
【図５】本発明の実施の形態３による自動販売機の側面断面図
【図６】同実施の形態の自動販売機の動作を示すフローチャート
【図７】本発明の実施の形態４による自動販売機の側面断面図
【図８】同実施の形態の自動販売機の動作を示すフローチャート
【図９】本発明の実施の形態５による自動販売機の側面断面図
【図１０】同実施の形態の自動販売機の動作を示すフローチャート
【符号の説明】
【００４３】
１    商品収納装置
２    本体
３    冷却・加温手段
４    ファン
５    リターンダクト
６    移動手段
７    充填完了入力手段
８    温度検知手段
９    本数検知手段
１０  周囲温度検知手段
１１  タイマー
１２  記憶手段
【図１】
2007041750.tif 000003
【図２】
2007041750.tif 000004
【図３】
2007041750.tif 000005
【図４】
2007041750.tif 000006
【図５】
2007041750.tif 000007
【図６】
2007041750.tif 000008
【図７】
2007041750.tif 000009
【図８】
2007041750.tif 000010
【図９】
2007041750.tif 000011
【図１０】
2007041750.tif 000012